(57)【要約】【課題】  複数の親機を備え、一方の親機が玄関子機と通話中の時に他方の親機でも来訪者の確認を行うことができ、場合によっては通話に割り込むこができるインターホン装置を提供する。【解決手段】  居室親機２は音声の送り先を切り替える切替回路２７を有し、親機制御回路２６は、切替回路２７を制御して受話／送話の制御、通話路の形成／切断制御を行う。通話ボタン２５が操作されて玄関子機１と居室親機２との間で通話路が形成されたら、親機制御回路２６は切替回路２７を制御して、玄関子機１から伝送される受話音及び居室親機２から玄関子機１へ伝送される送話音を増設親機３へ伝送し、増設親機３で報音させる。【選択図】  図１
2012070334.tif 000002
【特許請求の範囲】
【請求項１】
来訪者が居住者を呼び出して通話を行うための玄関子機と、前記玄関子機からの呼び出しに応答するための居室親機と、前記玄関子機からの呼び出しに応答するために前記居室親機に接続された増設親機とを備えたインターホン装置であって、
前記居室親機は、音声の送り先を切り替える音声伝送切替回路、前記音声伝送切替回路を制御して受話／送話の制御、通話路の形成／切断制御を行う受話／送話制御部を有し、
前記受話／送話制御部は、前記玄関子機からの呼び出しを受けて前記玄関子機と前記居室親機との間で通話路が形成されたら、前記音声伝送切替回路を制御して前記玄関子機から伝送される受話音を前記増設親機へ伝送することを特徴とするインターホン装置。
【請求項２】
前記受話／送話制御部は、前記玄関子機と前記居室親機の間の通話路形成に合わせて、前記居室親機から前記玄関子機への送話音を前記増設親機へ伝送することを特徴とする請求項１記載のインターホン装置。
【請求項３】
前記増設親機は、前記玄関子機と前記居室親機との通話に割込むための割込操作部を備え、
前記受話／送話制御部は、前記玄関子機と前記居室親機とが通話中の際に前記割込操作部が操作されたら、前記玄関子機と前記増設親機の間の通話路を形成する一方、前記玄関子機と前記居室親機との間の通話路を切断することを特徴とする請求項１又は２記載のインターホン装置。
【請求項４】
前記受話／送話制御部は、前記増設親機から割込操作を受けて前記玄関子機との間で形成された通話路を切断したら、前記玄関子機から前記増設親機への受話、前記増設親機から前記玄関子機への送話のうち少なくとも一方の音声を前記居室親機で報音させることを特徴とする請求項３記載のインターホン装置。
【請求項５】
前記玄関子機は来訪者を撮像するためのカメラを備えると共に、前記居室親機及び増設親機は、前記カメラの撮像映像を表示する表示部を有し、
前記居室親機は、双方の前記表示部への映像表示を制御する映像表示制御部を有し、
前記映像表示制御部は、前記玄関子機から呼出操作が成された時点から前記カメラの撮像映像を双方の前記表示部へ表示させ、前記玄関子機と前記居室親機とが通話路を形成した後も双方の表示部への表示を継続させることを特徴とする請求項１乃至４の何れかに記載のインターホン装置。
【請求項６】
前記映像表示制御部は、前記玄関子機と前記居室親機との間に形成され通話路が切断されても、前記玄関子機と前記増設親機との間で通話路が形成されている間は、前記居室親機の表示部に前記カメラの撮像映像の表示を継続させることを特徴とする請求項５記載のインターホン装置。
【請求項７】
来訪者が居住者を呼び出して通話を行うための玄関子機と、前記玄関子機からの呼び出しに応答するための居室親機と、前記玄関子機からの呼び出しに応答するために前記居室親機に接続された増設親機とを備えたインターホン装置であって、
前記居室親機は、音声の送り先を切り替える音声伝送切替回路、前記音声伝送切替回路を制御して受話／送話の制御、通話路の形成／切断制御を行う受話／送話制御部を有し、
前記受話／送話制御部は、前記玄関子機からの呼び出しを受けて前記玄関子機と前記増設親機との間で通話路が形成されたら、前記音声伝送切替回路を制御して前記玄関子機から伝送される受話音を前記居室親機へ伝送することを特徴とするインターホン装置。
【請求項８】
前記受話／送話制御部は、前記玄関子機と前記増設親機の間の通話路形成に合わせて、前記増設親機から前記玄関子機への送話音を前記居室親機へ伝送することを特徴とする請求項７記載のインターホン装置。
【請求項９】
前記居室親機は、前記玄関子機と前記増設親機との通話に割込むための割込操作部を備え、
前記受話／送話制御部は、前記玄関子機と前記増設親機とが通話中の際に前記割込操作部が操作されたら、前記玄関子機と前記居室親機の間の通話路を形成する一方、前記玄関子機と前記増設親機との間の通話路を切断することを特徴とする請求項７又は８記載のインターホン装置。
【請求項１０】
前記受話／送話制御部は、前記居室親機から割込操作を受けて前記玄関子機との間で形成された通話路を切断したら、前記玄関子機から前記居室親機への受話、前記居室親機から前記玄関子機への送話のうち少なくとも一方の音声を前記増設親機で報音させることを特徴とする請求項９記載のインターホン装置。
【請求項１１】
前記玄関子機は来訪者を撮像するためのカメラを備えると共に、前記居室親機及び増設親機は、前記カメラの撮像映像を表示する表示部を有し、
前記居室親機は、双方の前記表示部への映像表示を制御する映像表示制御部を有し、
前記映像表示制御部は、前記玄関子機から呼出操作が成された時点から前記カメラの撮像映像を双方の前記表示部へ表示させ、前記玄関子機と前記増設親機とが通話路を形成した後も双方の表示部への表示を継続させることを特徴とする請求項７乃至１０の何れかに記載のインターホン装置。
【請求項１２】
前記映像表示制御部は、前記玄関子機と前記増設親機との間に形成され通話路が切断されても、前記玄関子機と前記居室親機との間で通話路が形成されている間は、前記増設親機の表示部に前記カメラの撮像映像の表示を継続させることを特徴とする請求項１１記載のインターホン装置。
【請求項１３】
来訪者を撮像するためのカメラを備えて来訪者が居住者を呼び出して通話を行うための玄関子機と、前記カメラが撮像した映像を表示するための表示部を備えて前記玄関子機からの呼び出しに応答するための居室親機と、前記カメラが撮像した映像を表示するための表示部を備えて前記玄関子機からの呼び出しに応答するめに前記居室親機に接続された増設親機とを備えたインターホン装置であって、
前記居室親機は、前記カメラの撮像映像の前記双方の表示部への表示を制御する映像表示制御部を有し、
前記映像表示制御部は、前記玄関子機から呼出操作が成された時点から前記カメラの撮像映像を双方の表示部へ表示させ、前記居室親機或いは前記増設親機が応答操作をして何れか一方と玄関子機とが通話路を形成した後も双方の表示部への表示を継続させることを特徴とするインターホン装置。
【発明の詳細な説明】
【技術分野】
【０００１】
本発明はインターホン装置に関し、特に居室に設置された親機が居室親機、増設親機と複数あり、玄関子機からの呼び出しに対して複数の親機で応答できるインターホン装置に関する。
【背景技術】
【０００２】
居室親機に加えて増設親機を備えた従来のインターホン装置は、玄関子機からの呼び出しが成されたら、呼出音が居室親機及び増設親機で鳴動し、玄関子機のカメラが撮像した映像が居室親機、増設親機の双方の表示部で表示された。そして、居室親機或いは増設親機の何れか早く応答した機器と通話路が形成され、表示された映像を見ながら通話できた（例えば、特許文献１参照）。
【先行技術文献】
【特許文献】
【０００３】
【特許文献１】特開２００５−１５９８９０号公報
【発明の概要】
【発明が解決しようとする課題】
【０００４】
複数の親機を備えた上記従来のインターホン装置は、玄関子機からの呼び出しに対してどちらか一方の親機で応答することができたため便利であった。
しかしながら、応答操作した一方の親機で通話路が形成されると、応答しなかった他方の親機は来訪者映像の表示が消えて待受状態へ移行したため、応答しなかった親機の近くに居る居住者は、どのような通話が成されたか、また来訪者を受け入れたかの確認が出来なかった。例えば、来訪者からの呼び出しに対して子供が居室親機で応答する場合がある。この場合、増設親機のある部屋に親が居ても、居室親機で応答することで待受状態に移行してしまい、来訪者が不審者であるか否かの判断を行うことができなかった。また、子供の対応によっては不審者が住居へ侵入するのを許してしまう場合があった。
【０００５】
そこで、本発明はこのような問題点に鑑み、複数の親機を備え、一方の親機が玄関子機と通話中の時に他方の親機でも来訪者の確認を行うことができ、場合によっては通話に割り込むこができるインターホン装置を提供することを目的とする。
【課題を解決するための手段】
【０００６】
上記課題を解決する為に請求項１の発明は、来訪者が居住者を呼び出して通話を行うための玄関子機と、玄関子機からの呼び出しに応答するための居室親機と、玄関子機からの呼び出しに応答するめに居室親機に接続された増設親機とを備えたインターホン装置であって、居室親機は、音声の送り先を切り替える音声伝送切替回路、音声伝送切替回路を制御して受話／送話の制御、通話路の形成／切断制御を行う受話／送話制御部を有し、受話／送話制御部は、玄関子機と居室親機との間で通話路が形成されたら、音声伝送切替回路を制御して玄関子機から伝送される受話音を増設親機へ伝送することを特徴とする。
この構成によれば、玄関子機と居室親機の間で通話路が形成されても、増設親機は待受状態に移行せずに玄関子機から伝送される来訪者の音声を報音する。よって、来訪者の音声を増設親機でも確認することができ、増設親機の近くに居る居住者も来訪者が不審者でないか判断することができ、不審者に対して適切な対応を採ることが可能となる。
【０００７】
請求項２の発明は、請求項１に記載の構成において、受話／送話制御部は、玄関子機と居室親機の間の通話路形成に合わせて、居室親機から玄関子機への送話音を増設親機へ伝送することを特徴とする。
この構成によれば、玄関子機と居室親機の間で通話路が形成されると、居室親機から玄関子機に伝送される送話音声も増設親機に伝送されるので、応答操作しない増設親機で通話内容を把握でき、更に来訪者が不審者でないか判断し易い。
【０００８】
請求項３の発明は、請求項１又は２に記載の構成において、増設親機は、玄関子機と居室親機との通話に割込むための割込操作部を備え、受話／送話制御部は、玄関子機と居室親機とが通話中の際に割込操作部が操作されたら、玄関子機と増設親機の間の通話路を形成する一方、玄関子機と居室親機との間の通話路を切断することを特徴とする。
この構成によれば、玄関子機と居室親機が通話中であっても、増設親機で来訪者の様子を確認していた別の居住者が割込んで来訪者と通話することができるので、来訪者に対して適切に対応することができる。
【０００９】
請求項４の発明は、請求項３に記載の構成において、受話／送話制御部は、増設親機から割込操作を受けて玄関子機との間で形成された通話路を切断したら、玄関子機から増設親機への受話、増設親機からの玄関子機への送話のうち少なくとも一方の音声を居室親機で報音させることを特徴とする。
この構成によれば、割り込みにより玄関子機と居室親機の通話路が切断されても、来訪者の音声、割り込んだ居住者の音声の少なくとも一方が引き続き居室親機から聞くことができるので、最初に応答操作した居住者も状況を把握することができる。
【００１０】
請求項５の発明は、請求項１乃至４の何れかに記載の構成において、玄関子機は来訪者を撮像するためのカメラを備えると共に、居室親機及び増設親機は、カメラの撮像映像を表示する表示部を有し、居室親機は、双方の表示部への映像表示を制御する映像表示制御部を有し、映像表示制御部は、玄関子機から呼出操作が成された時点からカメラの撮像映像を双方の表示部へ表示させ、玄関子機と居室親機とが通話路を形成した後も双方の表示部への表示を継続させることを特徴とする。
この構成によれば、玄関子機カメラの撮像映像は居室親機が応答中でも増設親機で引き続き表示されるため、来訪者が不審者でないか複数の居住者が映像により判断でき、判断し易い。
【００１１】
請求項６の発明は、請求項５に記載の構成において、映像表示制御部は、玄関子機と居室親機との間に形成された通話路が切断されても、玄関子機と増設親機との間で通話路が形成されている間は、居室親機の表示部にカメラの撮像映像の表示を継続させることを特徴とする。
この構成によれば、増設親機からの割り込みにより居室親機から通話が出来なくなっても、引き続き来訪者映像を見ることができるので、最初の応答者も状況を把握できる。
【００１２】
請求項７の発明は、来訪者が居住者を呼び出して通話を行うための玄関子機と、玄関子機からの呼び出しに応答するための居室親機と、玄関子機からの呼び出しに応答するために居室親機に接続された増設親機とを備えたインターホン装置であって、居室親機は、音声の送り先を切り替える音声伝送切替回路、音声伝送切替回路を制御して受話／送話の制御、通話路の形成／切断制御を行う受話／送話制御部を有し、受話／送話制御部は、玄関子機と増設親機との間で通話路が形成されたら、音声伝送切替回路を制御して玄関子機から伝送される受話音を居室親機へ伝送することを特徴とする。
この構成によれば、玄関子機と増設親機の間で通話路が形成されても、居室親機は待受状態に移行せずに玄関子機から伝送される来訪者の音声を報音する。よって、来訪者の音声を居室親機でも確認することができ、居室親機の近くに居る居住者も来訪者が不審者でないか判断することができ、不審者に対して適切な対応を採ることが可能となる。
【００１３】
請求項８の発明は、請求項７に記載の構成において、受話／送話制御部は、玄関子機と増設親機の間の通話路形成に合わせて、増設親機から玄関子機への送話音を居室親機へ伝送することを特徴とする。
この構成によれば、玄関子機と増設親機の間で通話路が形成されると、増設親機から玄関子機に伝送される送話音声も居室親機に伝送されるので、応答操作しない居室親機で通話内容を把握でき、更に来訪者が不審者でないか判断し易い。
【００１４】
請求項９の発明は、請求項７又は８に記載の構成において、居室親機は、玄関子機と増設親機との通話に割込むための割込操作部を備え、受話／送話制御部は、玄関子機と増設親機とが通話中の際に割込操作部が操作されたら、玄関子機と居室親機の間の通話路を形成する一方、玄関子機と増設親機との間の通話路を切断することを特徴とする。
この構成によれば、玄関子機と増設親機が通話中であっても、居室親機で来訪者の様子を確認していた別の居住者が割込んで来訪者と通話することができるので、来訪者に対して適切に対応することができる。
【００１５】
請求項１０の発明は、請求項９に記載の構成において、受話／送話制御部は、居室親機から割込操作を受けて玄関子機との間で形成された通話路を切断したら、玄関子機から居室親機への受話、居室親機から玄関子機への送話のうち少なくとも一方の音声を増設親機で報音させることを特徴とする。
この構成によれば、割り込みにより玄関子機と増設親機の通話路が切断されても、来訪者の音声、割り込んだ居住者の音声の少なくとも一方が引き続き増設親機から聞くことができるので、最初に応答操作した居住者も状況を把握することができる。
【００１６】
請求項１１の発明は、請求項７乃至１０の何れかに記載の構成において、玄関子機は来訪者を撮像するためのカメラを備えると共に、居室親機及び増設親機は、カメラの撮像映像を表示する表示部を有し、居室親機は、双方の表示部への映像表示を制御する映像表示制御部を有し、映像表示制御部は、玄関子機から呼出操作が成された時点からカメラの撮像映像を双方の表示部へ表示させ、玄関子機と増設親機とが通話路を形成した後も双方の表示部への表示を継続させることを特徴とする。
この構成によれば、玄関子機カメラの撮像映像は増設親機が応答中でも居室親機で引き続き表示されるため、来訪者が不審者でないか複数の居住者が映像により判断でき、判断し易い。
【００１７】
請求項１２の発明は、請求項１１に記載の構成において、映像表示制御部は、玄関子機と増設親機との間に形成され通話路が切断されても、玄関子機と居室親機との間で通話路が形成されている間は、増設親機の表示部にカメラの撮像映像の表示を継続させることを特徴とする。
この構成によれば、居室親機からの割り込みにより増設親機から通話が出来なくなっても、引き続き来訪者映像を見ることができるので、最初の応答者も状況を把握できる。
【００１８】
請求項１３の発明は、来訪者を撮像するためのカメラを備えて来訪者が居住者を呼び出して通話を行うための玄関子機と、カメラが撮像した映像を表示するための表示部を備えて玄関子機からの呼び出しに応答するための居室親機と、カメラが撮像した映像を表示するための表示部を備えて玄関子機からの呼び出しに応答するめに居室親機に接続された増設親機とを備えたインターホン装置であって、居室親機は、カメラの撮像映像の双方の表示部への表示を制御する映像表示制御部を有し、映像表示制御部は、玄関子機から呼出操作が成された時点からカメラの撮像映像を双方の表示部へ表示させ、居室親機或いは増設親機が応答操作をして何れか一方と玄関子機とが通話路を形成した後も双方の表示部への表示を継続させることを特徴とする。
この構成によれば、応答操作して通話路が形成された親機に加えて応答しなかった親機でも引き続き来訪者映像を見ることができるため、来訪者が不審者でないかを応答しない居住者も判断することができ、不審者に対しては適切な対応を採ることが可能となる。
【発明の効果】
【００１９】
本発明によれば、玄関子機と居室親機の間で通話路が形成されても、玄関子機から伝送される来訪者の音声或いは映像が増設親機へも伝送されるので、来訪者の音声や映像を増設親機でも確認することができる。よって、来訪者が不審者でないかを応答しない居住者も判断することができ、不審者に対しては適切な対応を採ることが可能となる。
【図面の簡単な説明】
【００２０】
【図１】本発明に係るインターホン装置の一例を示す構成図であり、各機器を回路ブロック図で示している。
【発明を実施するための形態】
【００２１】
以下、本発明を具体化した実施の形態を、図面に基づいて詳細に説明する。図１は、インターホン装置の構成図であり、各機器を回路ブロックで示している。図１において、１は来訪者が居住者を呼び出して通話を行うための玄関子機、２は玄関子機１からの呼び出しに応答するための居室親機、３は同様に玄関子機１からの呼び出しに応答するための増設親機である。玄関子機１は居室親機２に伝送線Ｌ１を介して接続され、増設親機３は居室親機２に伝送線Ｌ２を介して接続されている。尚、居室親機２、増設親機３を合わせて以下親機と称する。
【００２２】
玄関子機１は、来訪者が居住者を呼び出すための呼出ボタン１１、来訪者が居住者が通話するためのマイク１２及びスピーカ１３、マイク１２及びスピーカ１３を制御する子機音響回路１４、来訪者を撮像するためのカメラ１５、カメラ１５が撮像した映像を親機２，３に伝送するために変調処理等所定の処理を行う子機映像回路１６、玄関子機１を制御する子機制御回路１７、居室親機２と通信を行う子機インターフェース（子機ＩＦ）１８等を備えている。
【００２３】
居室親機２は、玄関子機１からの呼び出しに応対するための通話ボタン２１、居住者が来訪者と通話するためのマイク２２及びスピーカ２３、マイク２２及びスピーカ２３を制御する音響回路２４、玄関子機１のカメラ１５で撮像した映像を表示するための表示部２５、居室親機２を制御する親機制御回路２６、音声や映像の送り先を切り替える切替回路２７、玄関子機１および増設親機３と通信を行う親機インターフェース（親機ＩＦ）２８、玄関子機１と増設親機３の間で通話路が形成されている際に割込操作するための割込操作部２９等を備えている。
【００２４】
切替回路２７は、親機２，３と玄関子機１との間の通話路形成／切断、親機２，３から玄関子機１へ伝送する送話音声の切り替え、玄関子機１からの伝送される受話音声の切り替え、更にカメラ１５の撮像映像伝送先の切り替え等を行う回路であり、送話音声、受話音声、カメラの撮像映像はこの切替回路２７を介して伝送される。
【００２５】
増設親機３は、玄関子機１からの呼び出しに応対するための通話ボタン３１、来訪者と居住者が通話するためのマイク３２及びスピーカ３３、マイク３２及びスピーカ３３を制御する音響回路３４、玄関子機１のカメラ１５で撮像した映像を表示するための表示部３５、増設親機３を制御する増設親機制御回路３６、居室親機２と通信を行う増設親機インターフェース（増設親機ＩＦ）３７、玄関子機１と居室親機２の間で通話路が形成されている際に割込操作するための割込操作部３９等を備えている。
【００２６】
このように構成されたインターホン装置について、以下、動作を説明する。居室親機２の部屋に子供が居て、増設親機３の部屋に親が居る場合を例に説明する。来訪者による呼び出しに対して最初に子供が居室親機２で応対し、その後親が増設親機３で対応する場合を説明する。
来訪者が玄関子機１の呼出ボタン１１を操作して呼出操作すると、子機制御回路１７から子機ＩＦ１８を介して居室親機２に呼出信号が伝送される。子機制御回路１７は、同時にカメラ１５を起動し、カメラ１５の撮像映像が子機映像回路１６、子機ＩＦ１８を介して居室親機２に伝送される。
【００２７】
居室親機２へ伝送された呼出信号は、親機ＩＦ２８を介して親機制御回路２６で受信される。呼出信号を受信した親機制御回路２６は、音響回路２４を制御してスピーカ２３から呼出音を報音させる。同時に親機ＩＦ２８を介して増設親機３へ呼出信号を伝送する。この増設親機３に対して伝送された呼出信号は、増設親機ＩＦ３７を介して増設親機制御回路３６で受信され、音響回路３４が制御されてスピーカ３３から呼出音が報音される。
【００２８】
その後、親機制御回路２６は、切替回路２７を制御して玄関子機１から居室親機２への受話路及び映像路、玄関子機１から増設親機３への受話路及び映像路を形成する。この結果、玄関子機１のマイク１２が収音した来訪者音声等が切替回路２７を介して音響回路２４へ伝送され、スピーカ２３から報音され、子供へ伝えられる。同時に、切替回路２７から親機ＩＦ２８を介して増設親機３へ伝送され、増設親機３において増設親機ＩＦ３７、音響回路３４を介してスピーカ３３から報音され、親へ伝えられる。尚、受話路は親機２，３から応答操作されるまで形成しなくとも良い。
【００２９】
一方、居室親機２へ伝送されたカメラ１５の撮像映像は、親機ＩＦ２８、切替回路２７、親機制御回路２６を介して表示部２５へ伝送されて表示される。同時に、カメラ撮像映像は切替回路２７から親機ＩＦ２８を介して増設親機３へ伝送される。増設親機３へ伝送されたカメラ撮像映像は、増設親機ＩＦ３７、増設親機制御回路３６を介して表示部３５に伝送されて表示される。この結果、居室親機２及び増設親機３において、呼出時に映像が表示され、応答前に映像により来訪者を判断することができる。
【００３０】
その後、呼出音を受けて子供が居室親機２から応答操作しても、親は増設親機３にて来訪者の確認を引き続き行うことができる。具体的に、呼び出しを受けて、子供が居室親機２の通話ボタン２１を操作すると、親機制御回路２６によって切替回路２７が制御され、呼出操作により既に受話路が形成された状態に加えて、玄関子機１と居室親機２の間の送話路が形成され、玄関子機１と居室親機２の間で通話路が形成される。
【００３１】
通話路が形成されることで、子供の声はマイク２２、音響回路２４、切替回路２７、親機ＩＦ２８を介して玄関子機１に伝送され、玄関子機１において子機ＩＦ１８、子機音響回路１４を介してスピーカ１３に伝送され、スピーカ１３から子供の声が来訪者へ伝えられる。また、来訪者音声は引き続き居室親機２のスピーカ２３から報音され、通話が実施される。
尚、応答操作後も、親機制御回路２６は増設親機３の表示部３５へのカメラ１５の撮像映像の表示を継続させ、居室親機２と共に双方の表示部２５，３５で来訪者映像の表示が継続される。この映像は、通話が終了するまで継続される。
【００３２】
また、居室親機２のマイク２２が収音した子供の声、及び玄関子機１のマイク１２が収音した来訪者の声は、増設親機３でも報音される。具体的に親機制御回路２６は、切替回路２７を制御して、切替回路２７から親機ＩＦ２８を介して増設親機３へ来訪者の声（受話音声）及び子供の声（送話音声）を伝送させる。増設親機３は、伝送された受話音声及び送話音声を増設親機ＩＦ３７、音響回路３４を介して介してスピーカ３３から報音する。これにより、親は来訪者と子供の会話を聞くことができ、引き続き表示される来訪者の映像情報と合わせて来訪者が不審者であるかの判断をすることができる。
【００３３】
この結果、親が子供と来訪者の通話や映像から来訪者が不審者であると判断したら、増設親機３の割込操作部３９を操作することで、子供による通話を切断して自身が来訪者と通話することができる。具体的に、玄関子機１と居室親機２が通話状態の時に、増設親機３の割込操作部３９が操作されると、増設親機制御回路３６から増設親機ＩＦ３７を介して居室親機２に割込信号が伝送される。
居室親機２へ伝送された割込信号は、親機ＩＦ２８を介して親機制御回路２６で受信され、親機制御回路２６により、切替回路２７が制御されて玄関子機１と居室親機２の間に形成された通話路が切断され、玄関子機１と増設親機３との間の通話路が形成される。通話路が切断された居室親機２は映像の表示も終了し、待受状態となる。
【００３４】
玄関子機１と増設親機３との間で通話路が形成されると、受話音及び送話音は居室親機２を経由して伝送される。具体的に、親の声はマイク３２、音響回路３４、増設親機ＩＦ３７を介して居室親機２へ伝送され、居室親機２において親機ＩＦ２８、切替回路２７、親機ＩＦ２８の順で伝送され、親機ＩＦ２８から玄関子機１へ伝送される。玄関子機１へ伝送された親の声は、子機ＩＦ１８、子機音響回路１４を介してスピーカ１３へ伝送され、スピーカ１３から来訪者へ伝えられる。一方、玄関子機１から切替回路２７に伝送された来訪者の音は、親機ＩＦ２８を介して増設親機３へ伝送され、増設親機３において増設親居ＩＦ３７、音響回路３４を介してスピーカ３３に伝送され、スピーカ３３から親へ伝えられる。これにより、応対者が子供から親へ切り替わるため、不審者に適切に対応できる。
【００３５】
このように、玄関子機１と居室親機２の間で通話路が形成されていても、玄関子機１から居室親機２に伝送される来訪者の受話音声や、居室親機２から玄関子機１に伝送されるに送話音声が増設親機３に伝送されるので、増設親機３でも受話音声や送話音声を確認することができる。そのため、来訪者が不審者でないかを複数の居住者が判断することができ、不審者が住戸内に入り込むのを防ぐことができる。
そして、玄関子機１と居室親機２が通話中であっても、増設親機３から別の居住者が割り込んで通話路を切り替えることができ、来訪者が不審者である場合に適切に対処することができる。
更に、玄関子機１のカメラ１５の撮像映像は、居室親機２が応答操作されて通話中であっても増設親機３で引き続き表示されるため、来訪者が不審者でないか複数の居住者が映像で判断でき、判断し易い。
また、増設親機３からの割り込みにより居室親機２から通話が出来なくなっても、引き続き来訪者映像を見ることができるので、最初の応答者はその後の状況を把握できる。
【００３６】
尚、上記実施形態では居室親機２で最初に応答する場合を説明したが、居室親機２と増設親機３の関係は逆でも良く、最初に増設親機３で応答操作した場合も同様な動作を実施する。即ち、玄関子機１と増設親機３とが通話中の時には、親機制御回路２６が切替回路２７を制御して受話音及び送話音を居室親機２で報音させるし、カメラ撮像映像の居室親機２での表示を継続する。そして、居室親機２の割込操作部２９が操作されると、増設親機３は待受状態に戻り玄関子機１と居室親機２との間で通話路が形成される。
また、玄関子機１と居室親機２が通話状態になっても、来訪者及び子供の音声を増設親機３のスピーカ３３で報音し、更にカメラ撮像映像も表示し、全ての情報を増設親機３に伝送しているが、全てでなく一部の情報を伝送するだけでも来訪者の判断には有効である。例えば、玄関子機１と居室親機２が通話状態のとき、玄関子機１から伝送される受話音のみ増設親機３で報音させるだけでも判断はできるし、音声の伝送は無く映像の表示のみ継続させても良い。
更に、増設親機３に割り込まれた居室親機２は通話路が切断されて待受状態となるため、余分な電力消費がなく省エネルギーな構成にできるが、来訪者の音声（受話音）や増設親機３からの音声（送話音）をスピーカ２３から報音させても良いし、映像を引き続き表示させても良い。こうすることで、居室親機２で通話していた居住者はその後の状況を把握でき、安心できる。
【符号の説明】
【００３７】
１・・玄関子機、２・・居室親機、３・・増設親機、１１・・呼出ボタン、１２・・マイク、１３・・スピーカ、１５・・カメラ、１７・・子機制御回路、２１・・通話ボタン、２２・・マイク、２３・・スピーカ、２５・・表示部、２６・・親機制御回路（受話／送話制御部、映像表示制御部）、２７・・切替回路（音声伝送切替回路）、２９・・割込操作部、３１・・通話ボタン、３２・・マイク、３３・・スピーカ、３５・・表示部、３９・・割込操作部。
【図１】
2012070334.tif 000003